(57)【要約】【課題】動画表示を改善する。【解決手段】各画像形成中にディプレイの全てのピクセル行がアドレス指定され、かつバックライトが画像情報の表示のためにピクセル行（２）を背面照明する、ディスプレイへの動画の表示方法において、各画像形成後に待機時間（７）に基づいてバックライトがピクセル行（２）を背面照明する。【選択図】図１
2008197655.tif 000002
【特許請求の範囲】
【請求項１】
各画像形成中にディプレイの全てのピクセル行がアドレス指定され、かつバックライトが画像情報の表示のためにピクセル行（２）を背面照明する、ディスプレイへの動画の表示方法において、各画像形成後に待機時間（７）に基づいてバックライトがピクセル行（２）を背面照明することを特徴とするディスプレイへの動画の表示方法。
【請求項２】
待機時間（７）がピクセルアドレス指定後のピクセルの状態変化時間（８）およびピクセル行（２）の背面照明のためのフラッシング時間（９）に実質的に一致することを特徴とする請求項１記載の方法。
【請求項３】
フラッシング時間（９）が人間の目の知覚時間に実質的に一致することを特徴とする請求項２記載の方法。
【発明の詳細な説明】
【技術分野】
【０００１】
本発明は、各画像形成中にディプレイの全てのピクセル行がアドレス指定され、かつバックライトが画像情報の表示のためにピクセル行を背面照明する、ディスプレイへの動画の表示方法に関する。
【背景技術】
【０００２】
一般に、ＬＣＤディスプレイの背面照明のために、行（ライン）ごとに配置されたＣＣＦＬ（＝Ｃｏｌｄ  Ｃａｔｈｏｄｅ  Ｆｌｕｏｒｅｓｃｅｎｔ  Ｌａｍｐ、冷陰極管）照明手段により光を発生するいわゆるバックライトが使用される。光はディスプレイにおいて全ての方向に放射される。背後に向けて放射された光をＬＣＤ画面の方向に反射する反射器が設けられている。この種のディスプレイは、診断の枠内において画像表示に高いコントラストが望まれる特に医学の分野において使用可能である。更に、この分野ではディスプレイのＬＣＤ画面に表示可能な動く被検体の動画ぼけ（モーションブラー）が少ないことが望まれる。
【０００３】
ＬＣＤディスプレイは、いわゆる画像内容がフレーム期間（画像周期）の間は維持されたままであるいわゆるホルード型ディスプレイに属する。１０％から９０％への画素の明るさの変化時間を表す例えば約８ｍｓのＬＣＤディスプレイの液晶の応答時間に基づいて、アドレス指定された画像列が直ちにではなくて「ちょうどよい」明るさで照明される。それによって、表示された動く被検体の縁が表示持続時間にわたる明るさ累積によって観察者にとって不鮮明もしくは不明瞭に見える。この障害となる動画ぼけは、ディスプレイに表示可能な被検体の本来の動きが人間の目の分解能限界を超えていることによっても強められる。一般に人間の目は約０．１５ｍｍの距離を認識する。これに対して、アドレス指定される画像列は６０Ｈｚの画像繰り返し周波数の場合に約１７ｍｓの時間の間、人間の目で見ることができ、この間に、例えば０．１ｍｍ／ｓの速度にて動く被検体は１．７ｍｍの距離を進む。
【０００４】
背景照明をフレーム終了前に短時間遮断し、それによって画像のライトアップ後に光強度を零に低減するいわゆるブリンキングバックライトは公知である（非特許文献１参照）。それによって明るさ累積が減少し、そしてそれによって縁の不明瞭も弱まる。欠点は、液晶（ピクセル）がまだ配向させられていなくてまだ前画像の情報を含んでいる場合に、もしくは液晶が既に再び新たに配向させられ、したがって既に次の画像の情報を含んでいる場合に、いわゆる動く被検体の後ゴーストもしくは前ゴーストが認められることにある。
【０００５】
動画表示はいわゆるスキャンニングバックライトにより改善することができる。この場合には、画像周期の間に、行に配置された照明手段が画像形成と同期して行ごとに遮断されて、再び投入される。欠点は、行に配置される多数の照明手段が必要であることにある。
【非特許文献１】“Ｒａｓａｎｔｅ  Ｚｅｉｔｅｎ，Ｔｅｃｈｎｉｋｅｎ  ｚｕｒ  ｂｅｓｓｅｒｅｎ  Ｂｅｗｅｇｂｉｌｄｄａｒｓｔｅｌｌｕｎｇ  ａｕｆ  Ｆｌａｃｈｂｉｌｄｓｃｈｉｒｍｅｎ”，ｃ’ｔ  ２００５，Ｈｅｆｔ  ９
【発明の開示】
【発明が解決しようとする課題】
【０００６】
本発明の課題は、動画の表示を改善した冒頭に述べた方法を提供することにある。
【課題を解決するための手段】
【０００７】
この課題は、本発明によれば、各画像形成中にディプレイの全てのピクセル行がアドレス指定され、かつバックライトが画像情報の表示のためにピクセル行を背面照明する、ディスプレイへの動画の表示方法において、各画像形成後に待機時間に基づいてバックライトがピクセル行を背面照明することによって解決される。
【０００８】
本発明は、アドレス指定された画像ピクセルの状態変化中には、すなわちそれの明るさ変化中には、アドレス指定された画像ピクセルを背面照明しないという考えに基づく。ＬＣＤディスプレイに関して、これは、ディスプレイの液晶の配向中には液晶が背面照明されないことを意味する。背面照明は、全てのピクセル行、例えば、それぞれ１２８０個のピクセルを有する１０２４個のピクセル行が１つの画像周期中にアドレス指定されかつアドレス指定に基づいて全ての液晶が配向された後に初めて投入される。それによって、動く被検体の表示中における動画ぼけモーションブラー）の回避が保証される。
【０００９】
有利な点は、背面照明のために、行に配置された多数の発光ダイオードと高価な駆動電子装置とを備えた高価なＬＥＤバックライトが必要でないことにある。例えばピクセル行の背面照明のためのランプの形での唯一の発光手段で十分である。
【００１０】
本発明の実施態様においては、待機時間がピクセルアドレス指定後のピクセルの状態変化時間およびピクセル行の背面照明のためのフラッシング時間に実質的に一致する。それによって、あらゆる場合において、画像ピクセルの「移動」中には、もしくは明るさ変化を生じさせる液晶の配向中にはバックライトが遮断されたままである。
【００１１】
本発明の他の実施態様においては、フラッシング時間が人間の目の知覚時間に実質的に一致する。これは、液晶の応答時間とフラッシング時間との和から生じる相前後する２つの画像形成間の待機時間を短く選ぶことができ、それによって待機時間がちらつきのない画像表示に関して障害を及ぼさないことを意味する。
【発明を実施するための最良の形態】
【００１２】
以下において、本発明の実施例が具体的に示されている図面に基づいて、本発明、本発明の構成ならびに利点を更に詳細に説明する。
【００１３】
図１および図２は画像形成タイムチャートを示し、図３はＬＣＤ画像形成を示す。
【００１４】
先ず、１２０Ｈｚの周波数を有する１画像周期（フレーム）中のＬＣＤディスプレイの画面１への画像形成が示されている図３を参照する。そこでは画像周期中にそれぞれ１２８０個のピクセル（液晶セル）を有する全部で１０２４個の行２がアドレス指定されることが仮定され、しかも行ごとに液晶セルに相応の電圧が印加される。これらの液晶セルはこれらの応答時間に応じて配向し、バックライトによる液晶セルの背面照明に基づいてＬＣＤディスプレイの画面上で画像情報を観察者が見ることができる。液晶が配向し、かつ約１０％から約９０％への画像ピクセルの明るさの変化時間を表す応答時間は例えば４ｍｓである。この画像周期後に引き続く他の画像周期中に別の画像が形成され、このことが図２において（１２０Ｈｚに相当の）８．３ｍｓのそれぞれの画像周期４内に画像反復バー３の形で示されている。この場合に、それぞれの画像反復バー３の幅によって、液晶のアドレス指定もしくは駆動後に液晶が配向するための時間が示されている。フラッシング中に、すなわち時間間隔５におけるバックライトによるピクセル行の背面照明中に、液晶がまだ完全には配向していないか、もしくは液晶が次の画像周期の新たな画像情報に基づいて既に再び新たに配向していることによって、動画ぼけが「後ゴーストもしくは前ゴースト」の形で発生し、これらが画面１の観察者に対して障害を及ぼす。
【００１５】
液晶の配向中における背面照明を避けるために、各画像形成後にピクセル行が待機時間に基づいて初めて背面照明される。
【００１６】
これとの関連で、画像形成タイムチャートを示す図１を参照する。ここでは画像形成がその都度、図２による画像周期時間４に対応する時間間隔６（周期８．３ｍｓ）中に行なわれる。もちろん、次の時間間隔６中における他の画像はそれぞれ待機時間７の後に初めて形成される。待機時間７は、約１０％から約９０％への画像ピクセルの明るさ変化時間を表す応答時間８と、バックライトが投入され従って画面の観察者が画像を見ることができるピクセル行の背面照明のための時間に相当するフラッシング時間９との和に実質的に等しい。それによって、全ての液晶が背面照明中に配向されていることが保証される。フラッシング時間は、フラッシング時間が人間の目の知覚時間に実質的に一致するようにそれぞれ選定される。本発明の実際上の実施例において待機時間は４ｍｓに選定され、この場合に２ｍｓの応答時間を有する液晶が使用され、フラッシング時間は２ｍｓに等しい長さである。周期時間は、確かにそれによって１２．３ｍｓ（８．３ｍｓの画像形成時間間隔＋４ｍｓの待機時間）に高められるが、しかし８．３ｍｓの選ばれた画像形成時間間隔６により、画面に示され観察者に見える画像はちらつきなしに現れる。
【図面の簡単な説明】
【００１７】
【図１】本発明による画像形成タイムチャート
【図２】従来技術の画像形成タイムチャート
【図３】ＬＣＤ画像形成の説明図
【符号の説明】
【００１８】
１          ＬＣＤディスプレイ画面
２          行
３          画像反復バー
４          画像周期
５          時間間隔
６          時間間隔
７          待機時間
８          応答時間
９          フラッシング時間
【図１】
2008197655.tif 000003
【図２】
2008197655.tif 000004
【図３】
2008197655.tif 000005